(57)【要約】      （修正有）【課題】現行製品の２分の１〜３分の１程度にまで肉厚を薄くし質量の半減化を図りながら、切り込み部の亀裂の発生を防止し、フック部の厚さ方向への捩れ変形を防止する構造とした商品吊り下げ用フックを提供する。【解決手段】上部に形成されたフック部１と、その下方の左右方向に延びる上部水平部２，２と、これらの下方の水平方向に沿った切り込み４，５を介して連接された下部水平部３，３と、一方の切り込み４がほぼ直線状で、他方の切り込み５が直線状切り込み部５ａとその奥側に一段下がって連なる奥側切り込み部５ｂとで略Ｚ字形に形成する。該奥側切り込み部５ｂの奥壁面５１と、該奥壁面５１に連なる下壁面５２の少なくとも一部とを厚肉部５０に形成する。また、フック部１の内周壁面１１か外周壁面か、その両方の少なくとも上半部を厚肉部１０に形成して構成する。【選択図】図４
0003154381.tif 000002
【実用新案登録請求の範囲】
【請求項１】
商品包装袋の吊り下げトップカードのフック掛止孔に掛止して使用される商品吊り下げ用フックであって、
全体が合成樹脂素材で一体成形され、
上部にフック部(1)が形成され、
該フック部(1)の下方に左右方向に延びる上部水平部(2，2)が形成され、
該上部水平部(2，2)の下方に水平方向に沿った切り込み(4，5)を介して下部水平部(3，3)が形成され、
これらのうち、一方の切り込み(4)がほぼ直線状に形成され、他方の切り込み(5)が直線状切り込み部(5a)とその奥側に一段下がって連なる奥側切り込み部(5b)とで略Ｚ字形に形成され、
該奥側切り込み部(5b)の奥壁面(51)と、該奥壁面(51)に連なる下壁面(52)の少なくとも一部とが厚肉部(50)に形成されている商品吊り下げ用フック。
【請求項２】
商品包装袋の吊り下げトップカードのフック掛止孔に掛止して使用される商品吊り下げ用フックであって、
全体が合成樹脂素材で一体成形され、
上部にフック部(1)が形成され、
該フック部(1)の下方に左右方向に延びる上部水平部(2，2)が形成され、
該上部水平部(2，2)の下方に水平方向に沿った切り込み(4，5)を介して下部水平部(3，3)が形成され、
これらのうち、一方の切り込み(4)がほぼ直線状に形成され、他方の切り込み(5)が直線状切り込み部(5a)とその奥側に一段下がって連なる奥側切り込み部(5b)とで略Ｚ字形に形成され、
前記フック部(1)の内周壁面(11)と外周壁面(12)との一方又は両方の少なくとも上半部(11a，12a)が厚肉部(10)に形成されている商品吊り下げ用フック。
【請求項３】
商品包装袋の吊り下げトップカードのフック掛止孔に掛止して使用される商品吊り下げ用フックであって、
全体が合成樹脂素材で一体成形され、
上部にフック部(1)が形成され、
該フック部(1)の下方に左右方向に延びる上部水平部(2，2)が形成され、
該上部水平部(2，2)の下方に水平方向に沿った切り込み(4，5)を介して下部水平部(3，3)が形成され、  これらのうち、一方の切り込み(4)がほぼ直線状に形成され、他方の切り込み(5)が直線状切り込み部(5a)とその奥側に一段下がって連なる奥側切り込み部(5b)とで略Ｚ字形に形成され、
該奥側切り込み部(5b)の奥壁面(51)と、該奥壁面(51)に連なる下壁面(52)の少なくとも一部とが厚肉部(50)に形成され、
かつ、前記フック部(1)の内周壁面(11)と外周壁面(12)との一方又は両方の少なくとも上半部(11a，12a)が厚肉部(10)に形成されている商品吊り下げ用フック。
【考案の詳細な説明】
【技術分野】
【０００１】
本考案は、靴下やハンカチ等の繊維製品、玩具、文具、乾物食品、日用品その他の小物商品の吊り下げ展示のために使用する商品吊り下げ用フックに関するものである。
【背景技術】
【０００２】
従来から、この種の小物商品の吊り下げ展示用として商品包装袋のトップカードの穴に掛止させて使用する商品吊り下げ用フックは、広く一般に使用されており、種々の形態のものが知られている。
【０００３】
その代表的な形態としては、本考案出願人会社の前代表者の出願に係る下記特許文献１に記載されている、商品包装袋の吊り下げトップカードの頂部に形成されたフック掛止孔に掛止して使用する形態の商品吊り下げ用フックが最も一般に周知されている。
【０００４】
この商品吊り下げ用フックは、同特許文献１の殊に第１図、第２図に見られるように、全体が合成樹脂素材で形成され、商品吊り下げ展示のための吊り下げ桿に吊り下げるためのフック部（同文献では符合８）を上部に有し、その下方に連接された左右方向に延びる水平部（同文献の符合４，５）と、該水平部の下方に形成された水平方向に沿った左右の切り込み（同文献の符合５ａ，４ａ）と、その下方に形成された下部水平部（同文献の符合５’，４’）とからなり、これらの切り込みのうち、右側の切り込み(５ａ)がほぼ直線状に形成され、左側の切り込み(４ａ)が直線状切り込み部(４ａ)とその奥側に一段下がって連なる奥側切り込み部(４ａ’)とで略Ｚ字形に形成さた構造とされている。
【０００５】
また、このような構造とした商品吊り下げ用フックは、本考案出願人会社の出願に係る下記非特許文献１の第１１図としても記載されていて公知になっている。
【先行技術文献】
【特許文献】
【０００６】
【特許文献１】特開昭５５−００１０４８号公報
【非特許文献】
【０００７】
【非特許文献１】実公平０１−０３０１３０号公報
【考案の概要】
【考案が解決しようとする課題】
【０００８】
これらの特許文献１や非特許文献１に見られる商品吊り下げ用フックは、商品包装袋の上部にステープラーや接着糊を利用して連結されたトップカードの折り曲げ頂部に形成されているフック掛止孔に対して、フック体の掛止部を外部から挿入して連結するようにしたものである。これらの文献に見られる公知の商品吊り下げ用フックは、使用し易く大いに普及し広範囲の商品に使用されている。
【０００９】
しかしながら、この種の商品吊り下げ用フック自体は、商品の購買者が包装袋を開封して袋内の商品を取り出すと直ちにゴミとして廃棄される性質のものであり、他方において石油資源の高騰化に伴うコスト高への防衛策や地球環境の悪化防止策の観点から、可能な限りの低資源化が求められるに至っている。
【００１０】
そこで、本考案は、このような従来の商品吊り下げ用フックが有していた課題を根本的に究明し、使用素材を石油依存樹脂素材から植物循環型樹脂素材に切り替える努力を重ねてきた。他方において、使用素材量の極限までの低減化に取り組み、フック本体の肉厚を現行製品の２分の１以下から３分の１程度にまで薄くする研究を重ね、質量の半減化を図る実験を繰り返してきた。しかしながら、フックの肉厚を半減化すると、フックの切り込み部に亀裂が発生し、フックの下半部が傾斜してトップカードから商品が外れたり、吊り下げフック部が厚さ方向に捩れて変形することによって、展示商品吊り下げ桿への商品の整然とした吊り下げ姿勢の維持ができ難くなったり、最悪の場合は、吊り下げ桿から商品が落下するという従来のフック体の場合には想定し得ない課題を生じることが確認されるに至った。
【００１１】
この課題を回避するために、フック体の肉厚を現行品に比して僅かに薄肉とした程度では使用素材の半減化という当初の目的を達成することができないため、フックの構造について種々の変形を試みた結果、使用素材の半減化という当初の目的を達成することができるものでありながら、前記亀裂の発生や捩れの発生を防止することができる商品吊り下げ用フックを開発するに至ったのでここに提案しようとするものである。また、本考案にいうフック構造とすると、一般に強度性に欠けるとされる植物循環型樹脂素材で成形しても前記のような危険性を払拭できることを確認することができた。
【課題を解決するための手段】
【００１２】
該目的を達成するために講じた本考案にいうところの商品吊り下げ用フックの第１の構成は、請求項１に記載のように、商品包装袋の吊り下げトップカードのフック掛止孔に掛止して使用される商品吊り下げ用フックであって、全体が合成樹脂素材で一体成形され、上部にフック部１が形成され、該フック部１の下方に左右方向に延びる上部水平部２，２が形成され、該上部水平部２，２の下方において水平方向に沿った切り込み４，５を介して連接された下部水平部３，３と、これらのうち、一方の切り込み４がほぼ直線状に形成され、他方の切り込み５が直線状切り込み部５ａとその奥側に一段下がって連なる奥側切り込み部５ｂとで略Ｚ字形に形成され、該奥側切り込み部５ｂの奥壁面５１と、該奥壁面５１に連なる下壁面５２の少なくとも一部とが厚肉部５０に形成されている構成としたものである。
【００１３】
また、本考案にいうところの商品吊り下げ用フックの前記請求項２に記載の構成は、商品包装袋の吊り下げトップカードのフック掛止孔に掛止して使用される商品吊り下げ用フックであって、全体が合成樹脂素材で一体成形され、上部にフック部１が形成され、該フック部１の下方に左右方向に延びる上部水平部２，２が形成され、該上部水平部２，２の下方において水平方向に沿った切り込み４，５を介して連接された下部水平部３，３と、これらのうち、一方の切り込み４がほぼ直線状に形成され、他方の切り込み５が直線状切り込み部５ａとその奥側に一段下がって連なる奥側切り込み部５ｂとで略Ｚ字形に形成され、前記フック部１の内周壁面１１と外周壁面１２との一方又は両方の少なくとも上半部１１ａ，１２ａが厚肉部１０に形成されている構成としたものである。
【００１４】
更に、本考案にいうところの商品吊り下げ用フックの前記請求項３に記載の構成を説明すると、商品包装袋の吊り下げトップカードのフック掛止孔に掛止して使用される商品吊り下げ用フックであって、全体が合成樹脂素材で一体成形され、上部にフック部１が形成され、該フック部１の下方に左右方向に延びる上部水平部２，２が形成され、該上部水平部２，２の下方において水平方向に沿った切り込み４，５を介して連接された下部水平部３，３と、これらのうち、一方の切り込み４がほぼ直線状に形成され、他方の切り込み５が直線状切り込み部５ａとその奥側に一段下がって連なる奥側切り込み部５ｂとで略Ｚ字形に形成され、該奥側切り込み部５ｂの奥壁面５１と、該奥壁面５１に連なる下壁面５２の少なくとも一部とが厚肉部５０に形成され、かつ、前記フック部１の内周壁面１１と外周壁面１２との一方又は両方の少なくとも上半部１１ａ，１２ａが厚肉部１０に形成されている構成としたものである。
【考案の効果】
【００１５】
本考案にいうところの請求項１に記載の商品吊り下げ用フックは、フック部の下方に形成された左右の切り込みのうち、他方の直線状切り込みの奥側に一段下がって形成された奥側切り込み部の奥壁部と、この奥壁部に連なる下壁部の少なくとも一部とを、フック体の厚さ方向に厚さを増加させた厚肉部を形成してある構造としたので、フック全体を薄肉に形成することによって、全体質量を半減させ、使用材料を可及的に少量化できるに至ったものでありながら、薄肉化したときに脆弱性が最も顕著にあらわれる、前記奥側切り込み部における奥壁部とこの奥壁部に連なる下壁部とを強化させることができ、亀裂の発生し難い商品吊り下げ用フックを得ることができるに至ったのである。
【００１６】
本考案にいう前記請求項２に記載の商品吊り下げ用フックは、フック部の内周壁部又は外周壁部若しくは必要に応じてその両方の、全周面でも良いが、少なくとも上半部を、フック体の厚さ方向に厚さを増加させた厚肉部に形成してあるので、フック部の全体を薄肉に形成して、全体の使用材料を可及的に少量化することができるに至ったものでありながら、フック部が厚さ方向に捩れて変形し易くなって、展示用吊り下げ桿に対して商品を整然と並べて吊り下げ展示することができ難くなるという課題を解決することができるに至ったのである。
【００１７】
また、前記請求項３に記載の商品吊り下げ用フックは、フック部の下方に形成された他方の切り込みにおける直線状切り込み部の奥側に一段下がって形成された奥側切り込み部の奥壁部とこの奥壁部に連なる下壁部の少なくとも一部とが厚肉部に形成されていて、かつ、フック部の内周壁部と外周壁部との一方若しくは両方の周壁部の少なくとも上半部についても厚肉部に形成されている構造としたので、フック全体を薄肉に形成して、質量を半減させ、使用材料を可及的に少量化できるものでありながら、薄肉化したときに脆弱性が最も顕著にあらわれる前記奥側切り込み部における奥壁部とこの奥壁部に連なる下壁部とを強化させることができると同時に、フック部が厚さ方向に捩れて変形し易く、展示用吊り下げ桿に対する商品の整然とした吊り下げ展示が妨げられるという課題を全面的に解決することができるに至った優れた効果を有するものである。
【図面の簡単な説明】
【００１８】
【図１】第１実施例を示す正面図。
【図２】同実施例の右側面図。
【図３】同実施例の左側面図。
【図４】同実施例の斜視図。
【図５】使用順序を説明する一部断面正面図。
【図６】使用状態を示す正面図。
【図７】第２実施例を示す正面図。
【図８】同実施例の右側面図。
【図９】同実施例の左側面。
【図１０】第３実施例を示す正面図。
【図１１】第４実施例を示す正面図。
【図１２】第５実施例を示す正面図。
【図１３】第６実施例を示す正面図。
【図１４】同実施例の右側面図。
【図１５】第７実施例を示す正面図。
【図１６】同実施例の右側面図。
【考案を実施するための形態】
【００１９】
上記のような構成とした本考案にいう商品吊り下げ用フックを実施するに当たっては、本考案の構成を備えた構造とすることによって、現行製品のように石油依存樹脂素材のみに限定されることなく、植物循環型樹脂素材に切り替えて実施することが可能となったので、地球環境の悪化防止の観点から、可能な限り植物循環型樹脂素材に切り替えて、フック本体の肉厚を現行製品の２分の１以下から３分の１程度にまで薄肉として実施するのが好ましい。
【実施例】
【００２０】
以下本考案の第１実施例について図面に基づいて説明する。該実施例に示した商品吊り下げ用フックＦの概略正面形状は、従来から公知の商品吊り下げ用フックと同形態のものである。即ち、該正面形態において、上部に、「？」マーク形にフック部１が形成され、このフック部１の下方に左右方向に延びる上部水平部２，２が連接形成され、この上部水平部２，２の下方に、水平方向に沿った切り込み４，５を介して下部水平部３，３が連接形成されていて、図１における右側の切り込み４は、ほぼ直線状の切り込みのみで形成され、同図の左側の切り込み５は、左端側に直線状の切り込み部５ａが形成され、その奥側に一段下がって奥側切り込み部５ｂが形成されていて、これら２段の切り込み５ａ，５ｂで略Ｚ字形の切り込みを形成する形状としてある。
【００２１】
更に、これらの両切り込み部５ａ，５ｂのうち、奥側切り込み部５ｂの突き当たり面に位置する奥壁面５１と、この奥壁面５１の下側に連なる下壁面５２の全体に、該実施例のフックＦにあっては、図２及び図３に見られるように一側面のみに、即ち、正面図における手前側の面のみに突出するように厚肉部５０を一体形成してある。また、該実施例に示したフックＦは、前記フック部１の内側に形成された掛止空間６を形成する内周壁面１１の上半部１１ａを含めて、同掛止空間６の左側に形成された開口部７の下側部分に至るまでの内周壁面にも厚肉部１０を連続するように、正面図における手前側の面のみに突出するように形成してある。これらの肉厚部５０，１０の全体形状は、図４に斜視図として示した通りである。
【００２２】
而して、このような構造としたフック体Ｆは、図６に示したように適宜の小物商品ｍを防湿セロファンのような透明袋ｐに収納させてその周囲をシールｓした包装袋の上部外周に、例えばステープラーや接着剤を用いて取り付けた厚紙製のトップカードＣの折り曲げ部ｔの掛止孔ｈに掛止させて使用する。
【００２３】
この掛止方法は、図５に作業順序を示したように、トップカードＣの折り曲げ部ｔに予め形成してあるフック掛止孔ｈに対して、先ず（イ）図のように、フックＦを矢印ａ方向に、左側の下部水平部３を差し入れて直線状切り込み部５ａを介して奥側切り込み部５ｂの奥壁面５１と掛止孔ｈの左壁とが接当するまで差込む。この時点で、右側下部水平部３の右端がフック掛止孔ｈの右端上に位置する。次いで（ロ）図の矢印ｂのように、フックＦを押し下げて、同右側下部水平部３をフック掛止孔ｈの下方にまで移行させる。このとき、上部水平部２は下部水平部３よりも長く形成してあるため、フック掛止孔ｈの上面に接当してフック掛止孔ｈの内部には入り込まないようになっている。続いて（ハ）図の矢印ｃのように、フックＦを右方向に移動させて、同図のように、フック掛止孔ｈの左右箇所を直線状切り込み部５ａと右側切り込み４とで挟み込ませて位置固定させる。このようにして、フックＦを、包装袋の上部に取り付けられたトップカードＣの折り曲げ部ｔに掛止させる。
【００２４】
図７乃至図９は第２実施例の商品吊り下げ用フックＦを示したものである。図７は正面図で、前記第１実施例のフック体Ｆとは、正背逆面に厚肉部１０，５０を形成したものである。この厚肉部１０，５０の形成面は、既に述べたように、正背面何れかの片面のみに突出形成したもののみに限定される性質のものではなく、正背面両側に向けて突出形成させてあるものとして実施することができる。なお、図７中に記載した符号７は、商品展示時における図外の商品吊り下げ桿に対して左右方向に移動の少ない状態で、安定良く吊り下げるための位置規制用突起である。
【００２５】
而して、該第２実施例に示したフック体Ｆは、図７の正面図におけるフック部１の下端と左側の上部水平部２とによって形成されるＵ字形凹入部の周縁部分１３にも、前記厚肉部１０，５０と同様に、図７の正面側の面に向けて部分的な厚肉部２０を突出形成したものである。
【００２６】
図１０は、第３実施例のフック体Ｆの正面形状を示したもので、該実施例に示したフック体Ｆは、前記第１実施例に示したフック部１の掛止空間６を形成する内周壁面１１に沿って形成した厚肉部１０に代えて、その外周壁面１２に沿って厚肉部１０を同正面図における手前側の面のみに突出するように形成したものである。また、前記第１実施例における奥側切り込み部５ｂの突き当たりの奥壁面５１と、その下側に連なる下壁面５２の全体とに形成した厚肉部５０を、上壁面５３にも一体的に連続させて形成してある構造としたものである。
【００２７】
図１１は、第４実施例のフック体Ｆを示したもので、該実施例に示したフック体Ｆは、前記第１実施例のように、フック部１の掛止空間６を形成する内周壁面１１に沿って形成した厚肉部１０と、前記第３実施例に示したフック部１の外周壁面１２に沿って形成した厚肉部１０との両方の厚肉部１０を、同正面図における手前側の面のみに突出するように形成したものであり、更に、前記第２実施例において示したフック部１の下端と左側上部水平部２とによって形成されるＵ字形凹入部の周縁部分１３に形成した厚肉部２０を、フック部１の外周壁面１２に沿って形成した厚肉部１０と連続させて形成してある構造としたものである。
【００２８】
また、前記第３実施例に示した奥側切り込み部５ｂの突き当たりの奥壁面５１と、その下側に連なる下壁面５２と上側に連なる上壁面５３とに形成した厚肉部５０を、入り口側の直線状切り込み部５ａの上下壁面にも一体的に連続させて形成してある構造とし、更に同図１１における左側の直線状切り込み４の全周面にも厚肉部４０を形成してある構造としたものである。
【００２９】
図１２に示した第５実施例のフック体Ｆは、フック体Ｆの正面形状は、前記図１１の第４実施例に示したフック体Ｆの形状と概略同形状としたものであって、フック体Ｆを形成する内外全周面に沿って連続した厚肉部１０，２０，４０，５０を形成してある構造としたものである。
【００３０】
図１３乃至図１６は、それぞれ第６実施例及び第７実施例のフック体Ｆの構造を示したものである。これらのフック体Ｆは、上部形成したフック部１の形状を前記第１実施例乃至第５実施例における「？」形のフック部１に代えて環状形態のフック部１を備えたフック体について示したものである。
【００３１】
これらのうち、図１３及び図１４に示した第６実施例のフック体Ｆは、掛止空間６を構成するフック部１の環状形内周壁面１１の全周面に沿って厚肉部１０を形成したものである。また、他に、左右のＵ字形凹入部の周縁部分１３，１３にも厚肉部２０，２０を形成し、図１３における右側の直線状切り込み４の奥側壁と下側壁との周縁部にも厚肉部４０を連続させて形成してある構造としたものである。
【００３２】
また、図１５及び図１６に示した第７実施例のフック体Ｆは、掛止空間６を構成するフック部１の環状形内周壁面１１の全周面と外周壁面１２の全周面とに沿って厚肉部１０を形成してある構造とし、この外周壁面１２に沿って形成した厚肉部１０の下端部と、左右のＵ字形凹入部の周縁部分１３，１３に形成した厚肉部２０，２０の上端部とを連続させて一連に形成してある構造としたものである。  
【００３３】
以上本考案の代表的と思われる実施例について説明したが、本考案は必ずしもこれらの実施例に示した形状のもののみに限定されるものではなく、例えば、厚肉部の断面形状を半円弧状としたもののみに限らず、略台形状や略三角山形状その他の形状のものとして実施することができ、本考案にいう前記の構成要件を充足し、上記の目的を達成し、上記の効果を有する範囲内において適宜に改変して実施することができるものである。
【産業上の利用可能性】
【００３４】
本考案にいうフック体は、使用素材量を大幅に軽減化でき、生産者にとっては低コスト化が可能で、梱包に当たっては嵩低く軽量化でき、保管や輸送が容易で、薄い商品の吊り下げ展示にも嵩張ることがなく、流通にも適している点で、使用者には大いに歓迎されるものと思われる。
【符号の説明】
【００３５】
１  フック部
２  水平部
３  下部水平部
４  切り込み
５  切り込み
５ａ  直線状切り込み部
５ｂ  奥側切り込み部
７  位置規制用突起
１０  厚肉部
１１  フック部の内周壁面
１１ａ  上半部
１２  フック部の外周壁面
１３  Ｕ字形
５０  厚肉部
５１  奥壁面
５２  下壁面
５３  上壁面
Ｆ  フック体
【図１】
0003154381.tif 000003
【図２】
0003154381.tif 000004
【図３】
0003154381.tif 000005
【図４】
0003154381.tif 000006
【図５】
0003154381.tif 000007
【図６】
0003154381.tif 000008
【図７】
0003154381.tif 000009
【図８】
0003154381.tif 000010
【図９】
0003154381.tif 000011
【図１０】
0003154381.tif 000012
【図１１】
0003154381.tif 000013
【図１２】
0003154381.tif 000014
【図１３】
0003154381.tif 000015
【図１４】
0003154381.tif 000016
【図１５】
0003154381.tif 000017
【図１６】
0003154381.tif 000018